(57)【要約】  異種の装置のスケーラブルネットワークのための方法と装置とが開示される。ネットワークは、例えば、照明器具ノード及びセンサのような複数の異種の装置と遠隔管理システムと通信するセグメントコントローラを含む。セグメントコントローラは、センサからのセンサデータを遠隔管理システムへ送信する。セグメントコントローラは、照明器具ノードへ、オプションで一つ以上の補助ノードへ制御データも送信する。制御データの少なくとも幾つかは、遠隔管理システムから送られるデータに基づき、オプションで、セグメントコントローラは、遠隔管理システムと独立して制御データの少なくとも幾つかを生成する。
2013524425.tif 000002
【特許請求の範囲】
【請求項１】
屋外の照明器具ノード各々が少なくとも一つの屋外の照明器具の少なくとも一つの光出力特性を制御する複数の屋外の照明器具ノードと、セグメントコントローラ各々が前記屋外の照明器具ノードの少なくとも一つへ照明器具制御データを送信する複数のセグメントコントローラと、前記セグメントコントローラのうちの少なくとも２つと通信する少なくとも一つのゲートウェイと、前記ゲートウェイと通信し、前記ゲートウェイを介して前記セグメントコントローラと通信する少なくとも一つの遠隔管理システムと、前記セグメントコントローラの少なくとも一つへセンサデータを送信する複数のセンサとを有する異種の装置のスケーラブルネットワークであって、前記少なくとも一つの屋外の照明器具の前記光出力特性は、前記照明器具制御データに少なくとも部分的に基づき、前記遠隔管理システムは、前記セグメントコントローラへセグメントコントローラデータを送信し、前記照明器具制御データの少なくとも幾つかは前記セグメントコントローラデータに少なくとも部分的に基づき、前記セグメントコントローラは前記ゲートウェイを介して前記遠隔管理システムへリモートシステムデータを送信し、前記リモートシステムデータが前記センサデータを示す情報を含み、前記セグメントコントローラは、前記センサデータの少なくとも幾つかを局所的に処理し、前記リモートシステムデータ内に前記センサデータの全てより少ないデータを含み、前記セグメントコントローラは、前記センサデータに基づいて前記照明器具制御データの少なくとも幾つかを直接決定する、異種の装置のスケーラブルネットワーク。
【請求項２】
前記センサの少なくとも幾つかが前記セグメントコントローラの少なくとも一つへ前記センサデータを直接送信する、請求項１に記載のネットワーク。
【請求項３】
前記センサの少なくとも幾つかが前記照明器具ノードの少なくとも一つを介して前記セグメントコントローラの少なくとも一つへ前記センサデータを送信する、請求項２に記載のネットワーク。
【請求項４】
前記セグメントコントローラが前記遠隔管理システムとの通信と独立して独立モードで動作する、請求項１に記載のネットワーク。
【請求項５】
前記独立モードで、前記照明器具制御データが前記セグメントコントローラデータと独立して決定される、請求項４に記載のネットワーク。
【請求項６】
前記センサが、タイプ、少なくとも一つのオペレーションモード及びサービスモードの少なくとも一つの品質を含む識別情報を前記セグメントコントローラの少なくとも一つへ選択的に送信する、請求項１に記載のネットワーク。
【請求項７】
前記識別情報が、複数の前記オペレーションモード及び複数の前記サービスモードの品質を含む、請求項６に記載のネットワーク。
【請求項８】
複数の前記セグメントコントローラ各々が、前記セグメントコントローラの少なくとも他の一つと通信する、請求項１に記載のネットワーク。
【請求項９】
屋外の照明器具ノード各々が少なくとも一つの屋外の照明器具の少なくとも一つの光出力特性を制御する複数の屋外の照明器具ノードと、複数の屋外の補助ノードの少なくとも一つが、セキュリティシステム、交通システム及び緊急応答システムの少なくとも１つについての少なくとも一つの制御特性を制御する前記複数の屋外の補助ノードと、前記屋外の照明器具ノードの少なくとも一つへ照明器具制御データを送信し、前記屋外の補助ノードの少なくとも一つへ補助制御データを送信する複数のセグメントコントローラと、前記セグメントコントローラと通信する少なくとも一つの遠隔管理システムと、前記セグメントコントローラの少なくとも一つへセンサデータを送信する複数のセンサとを有する異種の装置のスケーラブルネットワークであって、前記光出力特性は、前記照明器具制御データに少なくとも部分的に基づき、前記制御特性は、前記補助制御データに少なくとも部分的に基づき、前記遠隔管理システムは、前記セグメントコントローラへセグメントコントローラデータを送信し、前記照明器具制御データ及び前記補助制御データの少なくとも幾つかは前記セグメントコントローラデータに少なくとも部分的に基づき、前記セグメントコントローラは、前記遠隔管理システムへ前記センサデータを示すリモートシステムデータを送信し、前記セグメントコントローラが前記セグメントコントローラデータと独立して前記照明器具制御データの少なくとも幾つかと前記補助制御データの少なくとも幾つかとのうちの少なくとも一つを決定する、異種の装置のスケーラブルネットワーク。
【請求項１０】
前記センサの少なくとも幾つかが前記照明器具ノードの少なくとも一つを介して前記セグメントコントローラの少なくとも一つへ前記センサデータを送信する、請求項９に記載のネットワーク。
【請求項１１】
前記センサの少なくとも幾つかが前記セグメントコントローラの少なくとも一つへ前記センサデータを直接送信する、請求項１０に記載のネットワーク。
【請求項１２】
前記センサは、タイプ、少なくとも一つのオペレーションモード及びサービスモードの少なくとも一つの品質のうちの少なくとも２つを含む識別情報を前記セグメントコントローラの少なくとも一つへ選択的に送信する、請求項９に記載のネットワーク。
【請求項１３】
前記補助ノードが、前記識別情報を持ち、前記セグメントコントローラの少なくとも一つへ前記識別情報を選択的に送信する、請求項１２に記載のネットワーク。
【請求項１４】
前記識別情報が、複数の前記オペレーションモード及び複数の前記サービスモードの品質を含む、請求項１３に記載のネットワーク。
【請求項１５】
前記セグメントコントローラのうちの少なくとも２つと前記遠隔管理システムと通信する少なくとも一つのゲートウェイを更に有し、前記ゲートウェイは前記セグメントコントローラと前記遠隔管理システムとの間の通信を可能にする、請求項９に記載のネットワーク。
【請求項１６】
前記セグメントコントローラは、前記センサデータの少なくとも幾つかを局所的に処理し、これにより、前記リモートシステムデータの全てより少ないデータを含む、請求項９に記載のネットワーク。
【請求項１７】
前記補助ノード、前記照明器具ノード、前記セグメントコントローラ及び前記センサは、互いと通信するため共通のデータフォーマットを利用し、各々が、複数の装置クラスシーケンスの一つを持つ信号を送信し、ここで、前記装置クラスシーケンスの各々は装置クラスを示す、請求項９に記載のネットワーク。
【請求項１８】
少なくとも一つの屋外の照明器具ノードへ照明器具制御データを送信する送信ステップであって、前記屋外の照明器具ノードは、少なくとも一つの屋外の照明器具の少なくとも一つの所望の光出力特性を制御し、前記少なくとも一つの屋外の照明器具の前記光出力特性は、前記照明器具制御データに少なくとも部分的に基づく、前記照明器具制御データを送信する送信ステップと、少なくとも一つの屋外の補助ノードへ補助制御データを送信する送信ステップであって、前記屋外の補助ノードは、セキュリティシステム、交通システム及び緊急応答システムの少なくとも一つについての少なくとも一つの制御特性を制御し、前記制御特性は前記補助制御データに少なくとも部分的に基づく前記補助制御データを送信する送信ステップと、遠隔管理システムからセグメントコントローラデータを受信する受信ステップであって、前記照明器具制御データ及び前記補助制御データの少なくとも幾つかが前記セグメントコントローラデータに少なくとも部分的に基づく、前記セグメントコントローラデータを受信する受信ステップと、複数のセンサからセンサデータを受信するステップと、前記遠隔管理システムへ前記センサデータを示す情報を含むリモートシステムデータを送信するステップと、前記センサデータの少なくとも幾つかを局所的に処理する処理ステップであって、これにより前記リモートシステムデータの前記センサデータの全てより少ないデータを含む、前記処理ステップと、前記セグメントコントローラデータと独立して前記照明器具制御データの少なくとも幾つかと前記補助制御データの少なくとも幾つかとのうちの少なくとも一つを決定するステップとを有する、複数の異種の装置間の通信の方法。
【発明の詳細な説明】
【技術分野】
【０００１】
本発明は、異種の（ヘテロジーニアスな）装置のネットワークに概して向けられている。特に、ここで開示される様々な発明の方法及び装置は、少なくとも一つの屋外の照明器具ノードを含む異種の装置のスケーラブルネットワークに関する。
【背景技術】
【０００２】
例えば温度、空気の質、音及び交通状況のような一つ以上の環境因子を監視するために都市全体に配備される複数のセンサを含むセンサネットワークが提案された。斯様なネットワークのセンサは、データを処理して分析するリモートサーバへセンサデータを送信する。例えば、センサは、環境音を監視する音響センサを含み、リモートサーバに音声データを送信する。リモートサーバは、音声データを処理し、例えば発砲の発生のデータを分析する。発砲が検出される場合、リモートサーバは発砲のほぼ原点位置を決定するためデータを更に分析する。
【発明の概要】
【発明が解決しようとする課題】
【０００３】
センサをセンサネットワークのリモートサーバにリンクさせるために、センサは、アドホックネットワークを形成して、リモートサーバへセンサデータをルーティングするため互いと協働する。しかしながら、アドホックセンサネットワークは、都市全体のアプリケーションに対してスケーラブルでない。他のセンサネットワークは、センサをリモートサーバとリンクするために、既存のモバイルセルラーネットワーク技術（例えば、ＧＳＭ（登録商標）／ＧＰＲＳ、ＥＤＧＥ、ＷｉＭａｘ）を更に又は代わりに利用する。しかしながら、斯様なモバイルセルラーネットワーク接続は、各センサ又はセンサのグループ化に対するサービスプロバイダへの申込を必要とするので、費用効果的でない。その上、モバイルセルラーネットワーク接続を利用するセンサネットワーク及びアドホックセンサネットワーク両方は、大量のセンサデータがセンサとリモートサーバとの間で頻繁に通信されることを必要とし、とりわけエネルギー使用、セルラーネットワークコスト及び／又は帯域幅の潜在的非効率性に至る。よって、多数のセンサの効率的且つスケーラブルなサポートを可能にするネットワークアーキテクチャのための技術的ニーズがある。
【０００４】
屋外の照明ネットワークは、多くのセンサを接続するためのネットワークアーキテクチャの基礎を提供する。しかしながら、屋外の照明ネットワークは、通常はセンサネットワークとは別に実行されてきた。屋外の照明ネットワークは、通常は、内蔵型であり、遠隔管理、モニタリング及び／又は屋外の照明器具ノードの制御を可能にする。屋外の照明器具ノードの各々は、少なくとも一つの屋外の照明器具と通信して制御する。一つ以上のセグメントコントローラは、屋外の照明ネットワークに含まれ、各セグメントコントローラが照明器具ノードの少なくとも１つと通信する。照明器具ノードとセグメントコントローラとの間の接続は、例えば、無線で（例えば、直接又はメッシュネットワークを介して）、又は光学的になされるか、及び／又は電力ラインで起こる。セグメントコントローラは、リモートサーバへの出入口として働き、例えば、リモートサーバとの接続を確立するために、既存のセルラーテクノロジーを利用する。リモートサーバは、遠隔管理システムであり、セグメントコントローラを介して屋外の照明器具ノードを監視し、及び／又は制御可能にする。例えば、照明器具ノードは、セグメントコントローラを介してリモートサーバに照明器具の１つの故障している光源の存在を通信する。また、例えば、リモートサーバは、セグメントコントローラを介した照明器具ノードとの通信を通じて照明器具ノードの各々の光出力レベルを指示する。
【０００５】
既存の屋外の照明ネットワークは、しばしば、他の装置を受け入れない専用の通信プロトコルを実行する。屋外の照明ネットワークで利用される基礎となる接続技術は、一般的である（例えば、ＩＥＥＥ８０２．１５．４、標準又は専用の電力ライン通信スキーム）。しかしながら、照明ノード及び／又はセグメントコントローラで動作する制御プロトコルは、屋外の照明ネットワークの一部ではない装置を認識しない。加えて、屋外の照明ネットワークで使用される現在のアプリケーションプロトコルは、照明制御及び／又は照明メンテナンスだけを実行し、非照明装置のデータを認識しないか、又は制御をサポートしない。従って、既存の屋外の照明ネットワークは、通常は、内蔵型であり、何れのセンサ又は他のネットワークとも別に実行される。その上、既存の屋外の照明ネットワークは、他の異種の装置との統合のための受け入れられる効率及び／又はスケーラビリティを提供しない。
【０００６】
よって、多数のセンサ及び／又は他の異種の装置と、少なくとも一つの屋外の照明器具ノードを持つ屋外の照明ネットワークとを結合するネットワークであって、屋外の照明器具ノード、センサ及び／又は他の異種の装置の効率的及び／又はスケーラブルサポートを可能にするネットワークのための技術的ニーズがある。
【課題を解決するための手段】
【０００７】
本開示は、異種の装置のネットワーク、特に、少なくとも一つの屋外の照明器具ノードを含む異種の装置のスケーラブルネットワークのための発明の方法及び装置に向けられている。ネットワークは、異種の装置及び少なくとも一つの屋外の照明器具ノードの効率及びスケーラブルサポートを可能にする。例えば、ネットワークは、複数のセンサ、複数の照明器具ノード及び遠隔管理システムと通信するセグメントコントローラを含む。セグメントコントローラは、センサから遠隔管理システムへセンサデータを送信し、照明器具ノードに照明制御命令を送信し、照明器具ノードから遠隔管理システムへ照明器具状態データを送信する。セグメントコントローラは、センサデータ及び照明器具状態データの少なくとも一つを局所的に処理し、これにより遠隔管理システムへデータの全てより少ないデータを送信する。セグメントコントローラは、例えば、セキュリティシステムノード、交通システムノード及び／又は緊急事態反応システムノードのような一つ以上の補助ノードとオプションで通信する。セグメントコントローラは、補助ノードの少なくとも１つ及び／又は照明器具ノードの少なくとも１つへ制御データを送信する。制御データの少なくとも幾つかは、遠隔管理システムから送られるデータに基づき、オプションで、セグメントコントローラは、遠隔管理システムと独立して制御データの少なくとも幾つかを生成する。
【０００８】
一般に、一つの態様では、異種の装置のスケーラブルネットワークは、複数の屋外の照明器具ノードと、複数のセグメントコントローラと、少なくとも一つのゲートウェイと、少なくとも一つの遠隔管理システムと、複数のセンサとを有する。屋外の照明器具ノード各々は、少なくとも一つの屋外の照明器具の少なくとも一つの光出力特性を制御する。セグメントコントローラ各々は、前記屋外の照明器具ノードの少なくとも一つへ照明器具制御データを送信する。前記少なくとも一つの屋外の照明器具の前記光出力特性は、前記照明器具制御データに少なくとも部分的に基づく。前記ゲートウェイは、前記セグメントコントローラのうちの少なくとも２つと前記遠隔管理システムと通信する。前記遠隔管理システムは、前記ゲートウェイを介して前記セグメントコントローラと通信する。前記遠隔管理システムは、前記セグメントコントローラへセグメントコントローラデータを送信し、少なくとも幾つかの前記照明器具制御データは前記セグメントコントローラデータに少なくとも部分的に基づく。前記センサは、前記セグメントコントローラの少なくとも一つへセンサデータを送信する。前記セグメントコントローラは、前記ゲートウェイを介して前記遠隔管理システムへリモートシステムデータを送信する。前記リモートシステムデータは、前記センサデータを示す情報を含む。前記セグメントコントローラは、前記センサデータの少なくとも幾つかを局所的に処理し、これにより、前記リモートシステムデータの前記センサデータの全てより少ないデータを含む。前記セグメントコントローラは、前記センサデータに基づいて前記照明器具制御データの少なくとも幾つかを直接決定する。
【０００９】
幾つかの実施例では、前記センサの少なくとも幾つかが前記セグメントコントローラの少なくとも一つへ前記センサデータを直接送信する。これらの実施例の幾つかのバージョンでは、幾つかのセンサが前記照明器具ノードの少なくとも一つを介して前記セグメントコントローラの少なくとも一つへ前記センサデータを送信する。
【００１０】
幾つかの実施例では、前記セグメントコントローラは、前記遠隔管理システムとの通信と独立して独立モードで動作する。これらの実施例の幾つかのバージョンでは、前記セグメントコントローラの前記独立モードで、前記照明器具制御データが前記セグメントコントローラデータと独立して決定される。
【００１１】
幾つかの実施例では、前記センサは、識別情報を前記セグメントコントローラの少なくとも一つへ選択的に送信する。前記識別情報は、タイプ、少なくとも一つのオペレーションモード及びサービスモードの少なくとも一つの品質を含む。これらの実施例の幾つかのバージョンでは、前記識別情報は、複数の前記オペレーションモード及び複数の前記サービスモードの品質を含む。複数の前記セグメントコントローラ各々は、前記セグメントコントローラの少なくとも他の一つと通信する。
【００１２】
一般に、他の態様において、異種の装置のスケーラブルネットワークは、複数の屋外の照明器具ノードと、複数の屋外の補助ノードと、複数のセグメントコントローラと、少なくとも一つの遠隔管理システムと、複数のセンサとを有する。屋外の照明器具ノード各々は、少なくとも一つの屋外の照明器具の少なくとも一つの光出力特性を制御する。複数の屋外の補助ノードの少なくとも一つは、セキュリティシステム、交通システム及び緊急応答システムの少なくとも１つについての少なくとも一つの制御特性を制御する。複数のセグメントコントローラ各々は、少なくとも一つの前記屋外の照明器具ノードへ照明器具制御データを送信し、前記屋外の補助ノードの少なくとも一つへ補助制御データを送信する。前記光出力特性は、前記照明器具制御データに少なくとも部分的に基づき、前記制御特性は、前記補助制御データに少なくとも部分的に基づく。前記遠隔管理システムは、前記セグメントコントローラと通信し、前記セグメントコントローラへセグメントコントローラデータを送信する。前記照明器具制御データ及び前記補助制御データの少なくとも幾つかは前記セグメントコントローラデータに少なくとも部分的に基づく。前記センサは、前記セグメントコントローラの少なくとも一つへセンサデータを送信する。前記セグメントコントローラは、前記遠隔管理システムへリモートシステムデータを送信し、前記リモートシステムデータは前記センサデータを示す。前記セグメントコントローラは、前記セグメントコントローラデータと独立して、（ａ）前記照明器具制御データの少なくとも幾つかと（ｂ）前記補助制御データの少なくとも幾つかとのうちの少なくとも一つを決定する。
【００１３】
幾つかの実施例では、前記センサの少なくとも幾つかは、前記照明器具ノードの少なくとも一つを介して前記セグメントコントローラの少なくとも一つへ前記センサデータを送信する。これらの実施例の幾つかのバージョンでは、前記センサの少なくとも他の幾つかは、前記セグメントコントローラの少なくとも一つへ前記センサデータを直接送信する。
【００１４】
幾つかの実施例では、前記センサは、識別情報を前記セグメントコントローラの少なくとも一つへ選択的に送信する。前記識別情報は、タイプ、少なくとも一つのオペレーションモード及びサービスモードの少なくとも一つの品質を含む。前記補助ノードは、追加的に又は代わりに、前記識別情報を持ち、前記セグメントコントローラの少なくとも一つへ前記識別情報を選択的に送信する。これらの実施例の幾つかのバージョンでは、前記識別情報は、複数の前記オペレーションモード及び複数の前記サービスモードの品質を含む。
【００１５】
前記ネットワークは、更に、セグメントコントローラの少なくとも２つと前記遠隔管理システムと通信する少なくとも一つのゲートウェイを有する。前記ゲートウェイは、前記セグメントコントローラの少なくとも２つと前記遠隔管理システムとの間の通信を可能にする。前記セグメントコントローラは、前記センサデータの少なくとも幾つかを局所的に処理し、これにより、前記リモートシステムデータの全てより少ないデータを含む。前記補助ノード、前記照明器具ノード、前記セグメントコントローラ及び前記センサは、互いと通信するため共通のデータフォーマットを利用する。前記補助ノード、前記照明器具ノード、前記セグメントコントローラ及び前記センサ各々は、複数の装置クラスシーケンスの一つを持つ信号を送信し、ここで、前記装置クラスシーケンスの各々は装置クラスを示す。例えば、補助ノードは、補助ノードと関連している信号を識別する補助ノード装置クラスシーケンスを持つ信号を各々選択的に送信する。
【００１６】
一般に、別の態様においては、複数の異種の装置間の通信の方法は、少なくとも一つの屋外の照明器具ノードへ照明器具制御データを送信する送信ステップであって、前記屋外の照明器具ノードは、少なくとも一つの屋外の照明器具の少なくとも一つの所望の光出力特性を制御し、前記少なくとも一つの屋外の照明器具の前記光出力特性は、前記照明器具制御データに少なくとも部分的に基づく、前記照明器具制御データを送信する送信ステップを有する。前記方法は、更に、少なくとも一つの屋外の補助ノードへ補助制御データを送信する送信ステップであって、前記屋外の補助ノードは、セキュリティシステム、交通システム及び緊急応答システムの少なくとも一つについての少なくとも一つの制御特性を制御する送信ステップを有する。前記制御特性は、前記補助制御データに少なくとも部分的に基づく。前記方法は、更に、遠隔管理システムからセグメントコントローラデータを受信する受信ステップであって、前記照明器具制御データ及び前記補助制御データの少なくとも幾つかが前記セグメントコントローラデータに少なくとも部分的に基づく、前記セグメントコントローラデータを受信する受信ステップを有する。前記方法は、更に、複数の前記センサからセンサデータを受信するステップと、前記遠隔管理システムへ前記センサデータを示す情報を含むリモートシステムデータを送信するステップと、前記センサデータの少なくとも幾つかを局所的に処理する処理ステップであって、これにより前記リモートシステムデータの前記センサデータの全てより少ないデータを含む、前記処理ステップと、前記セグメントコントローラデータと独立して前記照明器具制御データの幾つかと前記補助制御データの少なくとも幾つかとのうちの少なくとも一つを決定するステップとを有する。
【００１７】
本開示の目的のために本明細書において用いられる場合、「ＬＥＤ」という用語は、任意のエレクトロルミネセンスダイオード又は電気信号に応じて放射を生成することができる他のタイプのキャリア注入／接合型のシステムを含むことを理解されたい。従って、ＬＥＤという用語は、電流に応じて光を発する種々の半導体を使用した構造体、発光ポリマ、有機発光ダイオード（ＯＬＥＤ）、エレクトロルミネセンスストリップ等を含むが、これらに限定されない。例えば、本質的に白色の光を生成するように構成されたＬＥＤ（例えば、白色ＬＥＤ）の１つの実行は、本質的に白色の光を形成するために組み合わせて混合するエレクトロルミネセンスの異なるスペクトルをそれぞれ発する幾つかのダイを含んでいる。他の実行では、白色光ＬＥＤは、第１のスペクトルを持つエレクトロルミネセンスを異なる第２のスペクトルに変換する蛍光材料に関連している。この実行の一例では、かなり短波長であり、狭帯域幅のスペクトルを持つエレクトロルミネセンスが蛍光材料を「ポンピング」し、該蛍光材料は、その結果として幾らかより広い帯域幅のスペクトルを持つより長い波長の放射を放つ。
【００１８】
「光源」という用語は、（上述して規定された一つ以上のＬＥＤを含む）ＬＥＤを使用したソース、白熱源（例えば、フィラメントランプ、ハロゲンランプ）、蛍光源、リン光源、高輝度放電源（例えば、ナトリウム、水銀及びメタルハライドランプ）、レーザ、他のタイプのエレクトロルミネセンス源、熱ルミネセンス源（例えば、炎）、キャンドルルミネセンス源（candle-luminescent source）（例えば、ガスマントル、カーボンアーク放射源）、フォトルミネセンス源（例えば、ガス放電源）、電子飽和を用いるカソードルミネセンス源、ガルバノルミネセンス源、クリスタロルミネセンス源、キネルミネセンス源（kine-lumincescent source）、熱ルミネセンス源、トリボルミネセンス源、ソノルミネセンス源、放射ルミネセンス源（radio luminescent source）及び発光ポリマを含むが、これらに限定されない種々の放射源の任意の一つ以上を意味すると理解されたい。
【００１９】
「照明器具」という用語は、本明細書では、特定のフォームファクタ、アセンブリ又はパッケージにおける一つ以上の照明ユニットの実行又は配置について言及するために用いられる。「照明ユニット」という用語は、本明細書では、同じタイプ又は異なるタイプの一つ以上の光源を含む装置について言及するために用いられる。ある照明ユニットは、光源、筐体／ハウジングの機構の形状及び／又は電気的及び機械的接続の構成のために種々の取り付け機構のうちの任意の１つを有している。また、ある照明ユニットは、オプションで、光源の動作に関連する様々な他の構成要素（例えば、制御回路）と関係がある（例えば、それを含んでいる、それに結合されている及び／又はそれとともにパッケージされている。）。「ＬＥＤを使用した照明ユニット」は、単独の又は他のＬＥＤを使用していない光源と組み合わせた上述したような一つ以上のＬＥＤを使用した光源を含む照明ユニットのことを意味する。「マルチチャネル」照明ユニットは、放射線のそれぞれ異なるスペクトルを生成するように構成される少なくとも２つの光源を含むＬＥＤベース又は非ＬＥＤベースの照明ユニットを指し、各異なる光源のスペクトルは、マルチチャネル照明ユニットの「チャネル」と呼ばれる。
【００２０】
「コントローラ」という用語は、本明細書では、一つ以上の光源の動作に関連する種々の装置を広く説明するために用いられる。コントローラは、本明細書において述べられる様々な機能を実行するために（例えば、専用ハードウェアを用いて等の）種々の方法で実行され得る。「プロセッサ」は、本明細書において述べられる様々な機能を実行するためにソフトウェア（例えば、マイクロコード）を用いてプログラムされ得る一つ以上のマイクロプロセッサを使用するコントローラの一例である。コントローラは、プロセッサを用いて又は用いないで実行され、また、幾つかの機能を実行するための専用ハードウェアと他の機能を実行するためのプロセッサとの組み合わせ（例えば、一つ以上のプログラムされたマイクロプロセッサ及び関連回路）としても実行され得る。本開示の種々の実施の形態に使用され得るコントローラの構成要素の例は、従来のマイクロプロセッサ、特定用途向け集積回路（ＡＳＩＣ）及びフィールドプログラマブルゲートアレイ（ＦＰＧＡ）を含んでいるが、これらに限定されない。
【００２１】
様々な実行では、プロセッサ又はコントローラは、（例えば、ＲＡＭ、ＰＲＯＭ、ＥＰＲＯＭ及びＥＥＰＲＯＭのような揮発性及び不揮発性コンピュータメモリ、フロッピー（登録商標）ディスク、コンパクトディスク、光ディスク並びに磁気テープである「メモリ」と一般にここでは呼ばれる）一つ以上の記憶媒体と関連する。幾つかの実行では、上記記憶媒体は、一つ以上のプロセッサ及び／又はコントローラ上で実行されるとき、ここで説明される機能の少なくとも幾つかを実施する一つ以上のプログラムによりコード化される。種々の記憶媒体は、本明細書において説明される本発明の種々の観点を実行するために、プロセッサ若しくはコントローラ内に固定されているか、又は該記憶媒体に記憶された一つ以上のプログラムがプロセッサにロードされ得るように移送可能である。
【００２２】
１つのネットワーク実行では、ネットワークに結合される一つ以上の装置は、（例えば、マスター／スレーブ関係で）ネットワークに結合される一つ以上の他の装置のためのコントローラとして役に立つ。他の実行では、ネットワーク化された環境は、ネットワークに結合される一つ以上の装置を制御するように構成される一つ以上の専用コントローラを含む。一般に、ネットワークに結合される複数の装置各々は、通信媒体内にあるデータへのアクセスを持つが、所与の装置は、例えば、データに割り当てられる一つ以上の特定の識別子（例えば、「アドレス」）に基づいて、ネットワークとデータを選択的に交換するように構成されている（すなわち、データをネットワークから受信し及び／又はネットワークへデータを送信する）という点で、「アドレス指定可能である」。
【００２３】
本明細書において用いられる「ネットワーク」という用語は、ネットワークに結合された任意の２つ又はそれ以上のデバイスの間及び／又は複数のデバイス間の（例えば、デバイスの制御、データの記憶、データの交換等のための）情報の輸送を容易にする（照明コントローラ又はプロセッサを含む）２つ又はそれ以上のデバイスの任意の相互接続を意味する。容易に理解されるように、複数のデバイスを相互接続するのに適したネットワークの種々の実行は、種々のネットワークトポロジのいずれかを含み、種々の通信プロトコルのいずれかを使用する。また、本開示に係る種々のネットワークでは、２つのデバイス間のいずれか１つの接続は、２つの系の間の専用接続を表すか、又は代替として、非専用接続を表す。２つのデバイスのための情報を伝えることに加えて、そのような非専用接続は、必ずしも２つのデバイスのいずれのためでもない情報を伝える（例えば、オープンネットワーク接続）。更に、本明細書において述べられるようなデバイスの種々のネットワークが、ネットワーク全体にわたる情報の輸送を容易にするために、一つ以上の無線、有線／ケーブル及び／又は光ファイバリンクを使用し得ることは容易に理解されるべきである。
【００２４】
上述の概念及び以下に極めて詳細に説明される更なる概念の全ての組み合わせは（そのような概念が相互に矛盾しないならば、）、本明細書において開示される発明の主観的事項の一部であると考えられることを理解されたい。特に、この開示の最後に示される特許請求の範囲の主観的事項の全ての組み合わせは、本明細書において開示される発明の主観的事項の一部であると考えられる。また、参照することにより組み込まれるいずれの開示にも表れ得る本明細書において明示的に使用される用語は、本明細書で開示される特定の概念と最も一貫性がある意味を与えられることも理解されたい。
【００２５】
図面では、類似の参照符号は、異なる図面全体にわたって概して同じ部分を指す。また、図面は、必ずしも縮尺通りというわけではなく、代わりに、本発明の原理を例示する際に強調されている。
【図面の簡単な説明】
【００２６】
【図１】図１は、異種の装置のスケーラブルネットワークの第１実施例を例示する。
【図２】図２は、異種の装置のスケーラブルネットワークの第２実施例を例示する。
【図３】図３は、図２の異種の装置のスケーラブルネットワークの１つの照明ノードを例示する。
【図４】図４は、図２の異種の装置のスケーラブルネットワークの１つの補助ノードを例示する。
【図５】図５は、異種の装置のスケーラブルネットワークの装置の一つ以上により利用されるデータフォーマット構造体の第１実施例を例示する。
【図６】図６は、異種の装置のスケーラブルネットワークの装置の一つ以上により利用される情報データ構造体を識別する様々な態様を例示する。
【図７】図７は、異種の装置のスケーラブルネットワークの装置の一つ以上により利用されるデータフォーマット構造体の第２実施例を例示する。
【発明を実施するための形態】
【００２７】
都市全体に配備される複数のセンサを含むセンサネットワークが提案された。センサは、都市の一つ以上の環境パラメータ又は他のパラメータを監視するために、リモートサーバにセンサデータを送信する。センサをセンサネットワークのリモートサーバにリンクさせるために、センサのアドホックネットワークを形成し、及び／又は既存のモバイルセルラーネットワーク技術を利用することが提案された。しかしながら、斯様な方法論は、効率及び／又はスケーラビリティに関する欠点を持つ。屋外の照明ネットワークは、多くのセンサのためのネットワークアーキテクチャを提供する。しかしながら、屋外の照明ネットワークは、通常は、内蔵型であり、何れのセンサネットワーク又は他のネットワークとも別に実行される。よって、出願人は、多数のセンサと屋外の照明ネットワークとを結合するネットワークであって、センサと屋外の照明ネットワークの屋外の照明器具ノードとの効率的及びスケーラブルサポートを可能にするネットワークを提供することが有益であると認識し理解した。
【００２８】
更に一般的に、出願人は、少なくとも一つの屋外の照明器具ノードを含む異種の装置のスケーラブルネットワークを持つことが有益であると認識し理解した。
【００２９】
以下の詳細な説明では、限定ではなく説明のために、具体的な詳細を開示している代表的な実施例が、請求された本発明の完全な理解を提供するために説明される。しかしながら、ここで開示される具体的な詳細から離れる本発明の教示に従う他の実施例も添付の請求の範囲内にあることは、本開示の利益を享受した通常の当業者には明らかであろう。その上、良く知られた装置及び方法の説明は、代表的な実施例の説明をぼかさないようにするために省略される。斯様な方法及び装置は、請求された本発明の範囲内に明らかにある。例えば、ここで開示されるアプローチの様々な実施例は、車道に沿って配置され、都市の一部を通じて外部の環境で実行されるセンサノード及び照明ノードのスケーラブルネットワークに特に適している。従って、説明の便宜上、請求された本発明は、斯様なネットワークと連動して説明される。しかしながら、このアプローチの他の構成及びアプリケーションは、請求された本発明の範囲又は要旨から逸脱せずに考察され得る。
【００３０】
図１は、異種の装置１００のスケーラブルネットワークの第１実施例を例示する。ネットワーク１００は、第１の領域１１０内に複数のストリート照明器具ノード１１２Ａ―Ｄを含む。ストリート照明器具１１４Ａ―Ｄの各々は、車道のセグメントに隣接して配置され、選択的に車道の一部を照明する。第１の領域１１０は、車道のそのセグメントを含んで囲む領域を概して定める。ストリート照明器具ノード１１２Ａ―Ｄの各々は、ストリート照明器具１１４Ａ―Ｄの対応する単一の照明器具を制御する。
【００３１】
ストリート照明器具ノード１１２Ａ―Ｄの各々は、ストリート照明器具ノード１１２Ａ―Ｄの少なくとも互いと、その間に延在する矢印により示されるように、直接通信する。特に、ストリート照明器具ノード１１２Ａはストリート照明器具ノード１１２Ｂと直接通信し、ストリート照明器具ノード１１２Ｂはストリート照明器具ノード１１２Ａ及び１１２Ｃと直接通信し、ストリート照明器具ノード１１２Ｃはストリート照明器具ノード１１２Ｂ及び１１２Ｄと直接通信し、ストリート照明器具ノード１１２Ｄはストリート照明器具ノード１１２Ｃと直接通信する。ストリート照明器具ノード１１２Ｃは、第１のセグメントコントローラ１４０Ａと直接通信し、これによりストリート照明器具ノード１１２Ａ、１１２Ｂ及び１１２Ｃを第１のセグメントコントローラ１４０Ａと間接的にリンクさせる。
【００３２】
複数のセンサ１１６Ａ―Ｃも、第１の領域１１０に供給されている。センサ１１６Ａ―Ｃは、動きセンサ１１６Ａ、空気の質センサ１１６Ｂ及び可視センサ１１６Ｃを含む。動きセンサ１１６Ａは、カバー範囲（例えば、車道のストレッチ）内の対象物（例えば、歩行者又は車両）の存在及び／又は動きを検出するため動作可能に配置される。動きセンサ１１６Ａは、例えば、赤外線、レーザー技術、電波、固定カメラ、誘導近接検出、サーモグラフィカメラ及び／又は電磁場を通じて、対象物の動き及び／又は存在を検出する、例えば一つ以上の装置である。空気の質センサ１１６Ｂは、例えば、特定のガスの存在及び／又は濃度、及び／又は特定の微粒子の存在及び／又は濃度を検出する一つ以上の装置である。可視センサ１１６Ｃは、例えば光度計の目を介した背景輝度測定を通じて視界を検出する、例えば、一つ以上の装置である。
【００３３】
動きセンサ１１６Ａは、照明器具ノード１１２Ａと直接通信し、これにより、照明器具ノード１１２Ａ―Ｃを介してセグメントコントローラ１４０Ａと間接的に通信する。空気の質センサ１１６Ｂは、照明器具ノード１１２Ｃと直接通信し、これにより、照明器具ノード１１２Ｃを介してセグメントコントローラ１４０Ａと間接的に通信する。可視センサ１１６Ｃは、照明器具ノード１１２Ｄと直接通信し、これにより、照明器具ノード１１２Ｄ及び１１２Ｃを介して、セグメントコントローラ１４０Ａと間接的に通信する。
【００３４】
ネットワーク１００は、また、第２の領域１２０内に複数のストリート照明器具ノード１２２Ａ―Ｃを含む。ストリート照明器具ノード１２２Ａ―Ｃの各々は、ストリート照明器具１２４Ａ―Ｃの対応する単一の照明器具を制御する。ストリート照明器具１２４Ａ―Ｃの各々は、公共の場全体に配置され、公共の場の一部を選択的に照明する。第２の領域１２０は、公共の場を含んで囲む領域を一般に定める。ストリート照明器具ノード１２２Ａ―Ｃの各々は、ストリート照明器具ノード１２２Ａ―Ｃと第２のセグメントコントローラ１４０Ｂとの間に延在する矢印により示されるように、第２のセグメントコントローラ１４０Ｂと直接通信する。
【００３５】
複数の動きセンサ１２６Ａ及び１２６Ｂも、第２の領域１２０に供給されている。動きセンサ１２６Ａ及び１２６Ｂは、カバー範囲（例えば、公共の場の一部）内の対象物（例えば、歩行者又は車両）の存在及び／又は動きを検出するために動作可能に配置され、例えば、先に説明した方法論の１つを利用して動きを検出する。動きセンサ１２６Ａ及び１２６Ｂ各々は、第２のセグメントコントローラ１４０Ｂと直接通信する。
【００３６】
ネットワーク１００は、また、第３の領域１３０内に複数のストリート照明器具ノード１３２Ａ―Ｆを含む。ストリート照明器具ノード１３２Ａ―Ｆの各々は、ストリート照明器具１３４Ａ―Ｆの対応する単一の照明器具を制御する。ストリート照明器具１３４Ａ―Ｆの各々は、駐車場全体に配置され、駐車場の一部を選択的に照明する。第３の領域１３０は、駐車場を含んで囲む領域を一般に定める。ストリート照明器具ノード１３２Ａ―Ｆの各々は、第３のセグメントコントローラ１４０Ｃと通信する。ストリート照明器具ノード１３２Ａ及び１３２Ｄは、第３のセグメントコントローラ１４０Ｃと直接通信する。ストリート照明器具ノード１３２Ｂ及び１３２Ｅは、ストリート照明器具ノード１３２Ａ及び１３２Ｄそれぞれを介して第３のセグメントコントローラ１４０Ｃと間接的に通信する。ストリート照明器具ノード１３２Ｃは、ストリート照明器具ノード１３２Ｂ及び１３２Ａを介して第３のセグメントコントローラ１４０Ｃと間接的に通信し、ストリート照明器具ノード１３２Ｆは、ストリート照明器具ノード１３２Ｅ及び１３２Ｄを介して第３のセグメントコントローラ１４０Ｃと間接的に通信する。
【００３７】
複数の動きセンサ１３６Ａ及び１３６Ｂも、第３の領域１３０内に供給される。動きセンサ１３６Ａ及び１３６Ｂは、カバー範囲（例えば、駐車場の一部）内の対象物（例えば、歩行者又は車両）の存在及び／又は動きを検出するために動作可能に配置され、例えば、先に説明された方法論の１つを利用して動きを検出する。可視センサ１３６Ｃも、第２の領域内に供給される。動きセンサ１３６Ａは第３のセグメントコントローラ１４０Ｃと直接通信し、動きセンサ１３６Ｂは動きセンサ１３６Ａを介して第３のセグメントコントローラ１４０Ｃと通信する。可視センサ１３６Ｃは、動きセンサ１３６Ｂ及び１３６Ａを介して、第３のセグメントコントローラ１４０Ｃと通信する。
【００３８】
第２のセグメントコントローラ１４０Ｂは、第１のセグメントコントローラ１４０Ａと通信し、第３のセグメントコントローラ１４０Ｃと通信する。第１のセグメントコントローラ１４０Ａ及び第３のセグメントコントローラ１４０Ｃは、第２のセグメントコントローラ１４０Ｂを介して、互いに通信する。第１のセグメントコントローラ１４０Ａ及び第３のセグメントコントローラ１４０Ｃ各々は、第１のゲートウェイ１４５Ａ及び第２のゲートウェイ１４５Ｂそれぞれと通信する。第１のゲートウェイ１４５Ａ及び第２のゲートウェイ１４５Ｂ各々は、ワイドエリアネットワーク１０１を介して遠隔管理システム１５０と通信する。従って、セグメントコントローラ１４０Ａ―Ｃの各々は、遠隔管理システム１５０と直接又は間接的に通信する。その上、３つのセグメントコントローラ１４０Ａ―Ｃは、２つのゲートウェイ１４５Ａ及び１４５Ｂがワイドエリアネットワーク１０１にアクセスすることを要求するだけである。第２のセグメントコントローラ１４０Ｂは、第１のセグメントコントローラ１４０Ａ及び第１のゲートウェイ１４５Ａを介して、及び／又は第３のセグメントコントローラ１４０Ｃ及び第２のゲートウェイ１４５Ｂを介して遠隔管理システム１５０と通信する。ワイドエリアネットワーク１０１は、例えば、イントラネット、インターネット及び／又はセルラーネットワークである。
【００３９】
照明器具ノード１１２Ａ―Ｄ、１２２Ａ―Ｃ及び１３２Ａ―Ｆ各々は、照明器具１１４Ａ―Ｄ、１２４Ａ―Ｃ及び１３４Ａ―Ｆの単一の照明器具と関連して説明された。しかしながら、代わりの実施例では、ストリート照明器具ノード１１２Ａ―Ｄ、１２２Ａ―Ｃ及び１３２Ａ―Ｆの一つ以上が複数のストリート照明器具を個別に制御してもよいことは、本開示の利益を持つ当業者にとって明らかである。また、センサ１１６Ａ―Ｃ、１２６Ａ―Ｂ及び１３６Ａ―Ｃ各々は、照明器具１１４Ａ―Ｄ、１２４Ａ―Ｃ及び１３４Ａ―Ｆとは分かれて説明された。しかしながら、代わりの実施例では、センサ１１６Ａ―Ｃ、１２６Ａ―Ｂ及び１３６Ａ―Ｃの一つ以上が照明器具１１４Ａ―Ｄ、１２４Ａ―Ｃ及び１３４Ａ―Ｆの一つ以上と結合されてもよいことは、本開示の利益を持つ当業者にとって明らかである。
【００４０】
照明器具ノード１１２Ａ―Ｄ、１２２Ａ―Ｃ及び１３２Ａ―Ｆ各々は、ストリート照明器具１１４Ａ―Ｄ、１２４Ａ―Ｃ及び１３４Ａ―Ｆそれぞれの対応する単一の照明器具の電子回路と電気的に通信するコントローラを含み、対応する単一の照明器具の少なくとも一つの光出力特性を制御する。例えば、幾つかの実施例では、コントローラは、ストリート照明器具１１４Ａ―Ｄ、１２４Ａ―Ｃ及び１３４Ａ―Ｆの対応する単一の照明器具の光源が、光出力の所望の強度（例えば、光出力がない、フルの光出力、５０％の光出力）、光出力の所望の色（例えば、赤、緑、白色光の所与の色温度）、及び／又は所望の光出力パターン（例えば、ＩＥＳＮＡＴｙｐｅＩ、ＩＩ、ＩＩＩ、ＩＶ、Ｖ）を生じることを保証するために電子回路と通信する。幾つかの実施例では、電子回路はＬＥＤドライバを含み、光源は複数のＬＥＤを含む。照明器具ノード１１２Ａ―Ｄ、１２２Ａ―Ｃ及び１３２Ａ―Ｆの各々のコントローラは、また、例えば、光源状態（例えば、オン／オフ、機能、使用時間）、エネルギー使用、及び／又は温度（例えば、ハウジング内の温度）に関連する通信のような、ストリート照明器具１１４Ａ―Ｄ、１２４Ａ―Ｃ及び１３４Ａ―Ｆの対応する単一の照明器具の電子回路からの通信をオプションで受信する。
【００４１】
センサ１１６Ａ―Ｃ、１２６Ａ―Ｂ及び１３６Ａ―Ｃ各々は、センサデータを生成し、センサデータをセグメントコントローラ１４０Ａ―Ｃの少なくとも一つへ直接又は間接的に送信する。照明ノード１１２Ａ―Ｄ、１２２Ａ―Ｃ、１３２Ａ―Ｆ各々は、照明ノードデータをセグメントコントローラ１４０Ａ―Ｃの少なくとも１つへオプションで送信する。照明ノードデータは、例えば、光源状態を示す情報、エネルギー使用、及び／又は一つ以上の関連する照明器具１１４Ａ―Ｄ、１２４Ａ―Ｄ及び１３４Ａ―Ｆの温度を含む。センサデータ及び／又は照明ノードデータは、測定されたデータが予め定められた量だけ変化するとき、及び／又はセグメントコントローラ１４０Ａ―Ｃの対応するコントローラから又は遠隔管理システム１５０から要求が送信されるとき、例えば、所定の間隔で送信される。センサ１１６Ａ―Ｃ、１２６Ａ―Ｂ及び１３６Ａ―Ｃは、また、例えば、監視周波数及び更新周波数に関連するデータ、又はセンサの感度若しくは他の動作パラメータを制御するためのデータのようなデータを、セグメントコントローラ１４０Ａ―Ｃの１つから、直接又は間接的にオプションで受信する。
【００４２】
セグメントコントローラ１４０Ａ―Ｃは、ゲートウェイ１４５Ａ及び１４５Ｂの少なくとも１つを介して、遠隔管理システム１５０へリモートシステムデータを送信する。リモートシステムデータは、センサデータ及び／又は照明ノードデータを示す情報を含む。幾つかの実施例では、リモートシステムデータは、文字通りセンサデータ及び／又は照明ノードデータを含む。他の実施例では、リモートシステムデータは、センサデータ及び／又は照明ノードデータの圧縮バージョンである。更に他の実施例では、リモートシステムデータは、センサデータ及び／又は照明ノードデータの全てより少ないデータを含む。例えば、センサデータの全てを送信する代わりに、セグメントコントローラ１４０Ａ―Ｃの一つ以上は、センサ１１６Ａ―Ｃ、１２６Ａ―Ｂ及び１３６Ａ―Ｃの一つ以上からの一組のセンサデータに対する平均、中間及び標準偏差値を決定し、リモートシステムデータのこれらの値だけを送信する。従って、センサデータの全てより少ないデータが、リモートシステムデータに含まれ、セグメントコントローラ１４０Ａ―Ｃから遠隔管理システム１５０へ送信されるデータの量は減らされる。また、例えば、センサデータの全てを送信する代わりに、セグメントコントローラ１４０Ａ―Ｃの一つ以上は、前に送信されたセンサデータから閾値の量だけ変化するセンサデータを送信するだけであり、これによって、前に送信されたセンサデータから閾値の量よりも変化していないセンサデータの送信を防止する。従って、センサデータの全てより少ないデータが、リモートシステムデータに含まれる。リモートシステムデータにセンサデータの全てより少ないデータを含むことは、ネットワーク交通を減らし、及び／又はワイドエリアネットワーク１０１へのアクセスと関連したコストを減らし、これによって、ネットワーク１００の効率を改善する。
【００４３】
遠隔管理システム１５０は、ワイドエリアネットワーク１０１を介してゲートウェイ１４５Ａ及び１４５Ｂと通信する。遠隔管理システム１５０は、ゲートウェイ１４５Ａ及び１４５Ｂを介して、セグメントコントローラ１４０Ａ―Ｃとも通信する。遠隔管理システム１５０は、セグメントコントローラ１４０Ａ―Ｃにより送られるリモートシステムデータを受信して分析する。例えば、遠隔管理システム１５０は、第１の領域１１０のセンサ１１６Ａ―Ｃからのセンサデータを示すデータを含むリモートシステムデータを受信する。遠隔管理システム１５０は、例えば、ある時間にわたる交通量、ある時間にわたる空気の質、ある時間にわたる可視性、交通量と空気の質との間の相関性、及び／又は空気の質と可視性との間の相関性を決定するために、リモートシステムデータを分析する。
【００４４】
遠隔管理システム１５０は、また、セグメントコントローラデータをセグメントコントローラ１４０Ａ―Ｃへ送信する。セグメントコントローラデータは、前に受信したリモートシステムデータに基づくか、及び／又は、例えば、手動で入力された情報のような他のデータに基づく。セグメントコントローラ１４０Ａ―Ｃは、照明器具制御データを照明器具ノード１１２Ａ―Ｄ、１２２Ａ―Ｃ及び１３２Ａ―Ｆへ送信する。セグメントコントローラ１４０Ａ―Ｃにより送られる照明器具制御データは、遠隔管理システム１５０によりセグメントコントローラ１４０Ａ―Ｃへ送られるセグメントコントローラデータに少なくとも部分的に基づく。例えば、照明器具制御データは、単にセグメントコントローラデータだけに時々基づき、セグメントコントローラデータに時々部分的に基づき、セグメントコントローラデータに時々全く基づかない。照明器具ノード１１２Ａ―Ｄ、１２２Ａ―Ｃ及び１３２Ａ―Ｆは、照明器具制御データに少なくとも部分的に基づいて、対応するストリート照明器具１１４Ａ―Ｄ、１２４Ａ―Ｃ及び１３４Ａ―Ｆの少なくとも一つの光出力特性を制御する。例えば、照明器具１２４Ａ―Ｃがフルパワーでいつ照明されなければならないか、ハーフパワーでいつ照明されなければならないかを示す情報を含む照明器具制御データが、照明器具ノード１２２Ａ―Ｃに送られる。また、例えば、追って通知があるまで全ての照明器具１２４Ａ―Ｃがフルパワーで照明されるべきことを示す情報を含む照明器具制御データが、照明器具ノード１２２Ａ―Ｃに送られる。斯様な指示は、緊急事態、特別なイベント及び／又は低い可視性の間で適切である。
【００４５】
幾つかの実施例では、セグメントコントローラ１４０Ａ―Ｃは、遠隔管理システム１５０と独立して照明器具制御データの少なくとも幾つかを直接決定するように動作可能である。従って、セグメントコントローラ１４０Ａ―Ｃと遠隔管理システム１５０との間のデータ送信の量及び／又は周波数が低減され、ワイドエリアネットワーク１０１へのアクセスに関連したコストも低減され、これによって、ネットワーク１００の効率を改善する。例えば、セグメントコントローラ１４０Ａ―Ｃの一つ以上は、遠隔管理システムと独立して照明器具制御データを生成するために、一つ以上のセンサ１１６Ａ―Ｃ、１２６Ａ―Ｂ及び１３６Ａ―Ｃからのセンサデータを使用できる。例えば、セグメントコントローラ１４０Ａは、可視センサ１１６Ｃからセンサデータを分析でき、照明器具１１４Ａ―Ｄの光出力強度及び／又は光出力の色を、最近測定された可視状況に対して適切な光出力を供給するために調整させる照明器具制御データを生成できる。斯様な照明器具制御データは、遠隔管理システム１５０との通信と完全に又は部分的に独立して、及び／又はセグメントコントローラ１５０の前に受信セグメントコントローラデータと完全に又は部分的に独立して生成できる。その上、センサ１１６Ｃから遠隔管理システム１５０へ全ての生のセンサデータを送信する代わりに、セグメントコントローラ１４０Ａは、修正される光出力特性を必要とするのに十分可視の条件が劣っている期間の時間のリストだけを送信する。従って、センサの全てのデータより少ないデータが、セグメントコントローラ１４０Ａから遠隔管理システム１５０へ送信されるリモートシステムデータに含まれる。
【００４６】
他の例では、セグメントコントローラ１４０Ａは、交通の流れ（例えば、量及び／又は速度等）を監視し、遠隔管理システム１５０からセグメントコントローラデータを介して命令を必ずしも待つ必要なく、交通状況に従って照明器具１１４Ａ―Ｄの出力を適応させるために、動きセンサ１１６Ａからのセンサデータを分析できる。更に別の例では、セグメントコントローラ１４０Ｃは、検出される対象物の方向を予想するため、動きセンサ１３６Ａ及び１３６Ｂからのセンサデータを分析でき、遠隔管理システム１５０からセグメントコントローラデータを介して命令を必ずしも待つ必要なく、検出される対象物の経路にある照明器具１３２Ａ―Ｆの選択された照明器具の光出力を増大できる。遠隔管理システム１５０と独立して照明器具制御データの少なくとも幾つかを直接決定するため動作可能なセグメントコントローラ１４０Ａ―Ｃは、また、例えば、遠隔管理システム１５０とセグメントコントローラ１４０Ａ―Ｃとの間の通信が故障しているとき、セグメントコントローラ１４０Ａ―Ｃを独立して動作可能にする。
【００４７】
データは、様々な照明器具ノード１１２Ａ―Ｄ、１２２Ａ―Ｃ、１３２Ａ―Ｆ、センサ１１６Ａ―Ｃ、１２６Ａ―Ｂ及び１３６Ａ―Ｃ、セグメントコントローラ１４０Ａ―Ｃ、ゲートウェイ１４５Ａ―Ｃ、及び／又は遠隔管理システム１５０との間で、例えば、ツイストペア同軸ケーブル、ファイバー光学、又は、例えば、赤外線、マイクロ波、ＬＥＤ光源の変調を介してコード化されたＬＥＤデータ、及び／又は無線周波数送信を使用する無線リンクを含む任意の物理的媒体を介して通信される。また、任意の適切な発信器、受信器又はトランシーバが、ネットワーク１００内の通信を実現するために用いられる。その上、任意の適切なプロトコルが、例えば、ＴＣＰ／ＩＰ、イーサネット（登録商標）のバリエーション、ユニバーサルシリアルバス、ブルートゥース、ＦｉｒｅＷｉｒｅ、Ｚｉｇｂｅｅ（登録商標）、ＤＭＸ、８０２．１１ｂ、８０２．１１ａ、８０２．１１ｇ、８０２．１５．４、トークンリング、トークンバス、シリアルバス、又は他の適切な無線若しくは有線のプロトコルを含むデータ送信のために使われる。ネットワーク１００は、物理的媒体とデータプロトコルとの組合せも使用する。
【００４８】
図２は、異種の装置２００のスケーラブルネットワークの第２実施例を例示する。ネットワーク２００は、第１のセグメントコントローラ２４０Ａに直接各々がセンサデータを送信する３つのセンサ２１６Ａ―Ｃを含む。照明ノード２１２Ａは、例えば、照明器具Ａ―Ｃ２１４Ａ―Ｃの何れかの光源状態情報のような情報をセグメントコントローラ２４０Ａへ送信するようにオプションで動作可能である。ネットワーク２００は、また、各々がセンサデータを第２のセグメントコントローラ２４０Ｂへ送信する２つのセンサ２２６Ａ及び２２６Ｂを含む。センサ２２６Ａは第２のセグメントコントローラ２４０Ｂへ直接センサデータを送信し、センサ２２６Ｂはセンサ２２６Ａを介して第２のセグメントコントローラ２４０Ｂへセンサデータを送信している。センサ２１６Ａ―Ｃ、２２６Ａ及び２２６Ｂの各々は、例えば、動きセンサ、空気の質センサ、可視のセンサ、光センサ、湿度センサ、温度センサ又は音響センサのような所望のタイプのセンサである。
【００４９】
第２のセグメントコントローラ２４０Ｂは、照明器具Ａ２２４Ａの少なくとも一つの光出力特性を制御する照明ノード２２２Ａへ照明器具制御データを送信する。照明ノード２２２Ａは、第２のセグメントコントローラ２４０Ｂにより、照明ノード２２２Ａへ送信される照明器具制御データに少なくとも部分的に基づいて照明器具Ａ２２４Ａを制御する。
【００５０】
しばらく図３を参照すると、照明ノード２２２Ａ及び照明器具２２４Ａが、追加的に詳細に示されている。照明ノード２２２Ａは、照明器具２２４Ａのバラスト２２４１と通信するコントローラ２２２１を含む。バラスト２２４１は、照明器具２２４Ａの光源２２４２と電気的に通信する。コントローラ２２２１は、バラスト２２４１と通信し、これにより光源の少なくとも一つの光出力特性を制御する。例えば、幾つかの実施例では、コントローラ２２２１は、光源２２４２に光出力の所望の強度を生じさせるためバラスト２２４１の制御入力部と通信する。コントローラ２２２１は、また、セグメントコントローラ２４０Ｂへデータを送信し、セグメントコントローラ２４０Ｂからのデータを受信するデータトランシーバ２２２２と通信する。
【００５１】
再び図２を参照すると、第１のセグメントコントローラ２４０Ａは、照明器具Ａ−Ｃ２１４Ａ―Ｃの少なくとも一つの光出力特性を制御している照明ノード２１２Ａへ照明器具制御データを送信する。セグメントコントローラ２４０Ａ及び２４０Ｂは、互いと通信し、ゲートウェイ２４５を介して遠隔管理システムＡ−Ｃ２５０Ａ―Ｃと通信する。遠隔管理システムＡ−Ｃ２５０Ａ―Ｃは、別々のシステムであるか、又は共通の管理システムの別々の態様でもよい。セグメントコントローラ２４０Ａ及び２４０Ｂは、センサ２１６Ａ―Ｃ、２２６Ａ及び２２６Ｂから受信したセンサデータを示す遠隔管理システムＡ−Ｃ２５０Ａ―Ｃへセグメントコントローラデータを送信する。遠隔管理システムＡ２５０Ａは、遠隔管理照明システムであって、セグメントコントローラ２４０Ａ及び２４０Ｂへ照明セグメントコントローラデータを送信する。照明セグメントコントローラデータは、前に受信したリモートシステムデータに基づくか、及び／又は、例えば、手動で入力された情報のような他のデータに基づく。
【００５２】
照明ノード２１２Ａ及び２２２Ａのそれぞれへセグメントコントローラ２４０Ａ及び２４０Ｂにより送信された照明器具制御データは、遠隔管理システムＡ２５０Ａからの照明セグメントコントローラデータに少なくとも部分的に基づく。例えば、照明器具制御データは、照明セグメントコントローラデータだけに時々単に基づき、照明セグメントコントローラデータに時々部分的に基づき、照明セグメントコントローラデータに時々全く基づかない。また、図１のネットワーク１００に関して説明されたように、セグメントコントローラ２４０Ａ及び／又はセグメントコントローラ２４０Ｂは、遠隔管理システム２５０Ａと独立して照明器具制御データの少なくとも幾つかを直接決定するように動作可能である。例えば、セグメントコントローラ２４０Ｂは、一つ以上のセンサ２１６Ａ―Ｃ、２２６Ａ及び２２６Ｂからのセンサデータを分析し、センサデータの独立分析に少なくとも部分的に基づいて、照明ノード２２２Ａへ送信される照明器具データを決定する。
【００５３】
ネットワーク２００は、また、交通システムＡ２１８Ａ及び交通システムＢ２１８Ｂの少なくとも一つの制御特性を制御している補助ノード２１７Ａを含む。例えば、補助ノード２１７Ａは、交通システムＢ２１８Ｂの信号機の一つ以上のサイクル時間を制御し、及び／又は交通システムＢ２１８Ｂの一つ以上の交通カメラの動作を制御する。第１のセグメントコントローラ２４０Ａは、補助ノード２１７Ａへ補助制御データを送信する。補助ノード２１７Ａは、補助制御データに少なくとも部分的に基づいて交通システムＡ２１８Ａ及び／又は交通システムＢ２１８Ｂを制御する。補助ノード２１７Ａは、例えば、交通システムＡび／又はＢ２１８Ａ及び２１８Ｂの交通システム状態情報のような情報をセグメントコントローラ２４０Ａへ送信するためにオプションで動作可能である。遠隔管理システムＢ２５０Ｂは、遠隔管理交通管制システムであり、セグメントコントローラ２４０Ａへ交通セグメント制御データを送信する。交通セグメントコントローラデータは、交通システムＢ２１８Ｂの適当な制御パラメータを示し、前に受信したリモートシステムデータに基づくか、及び／又は、例えば、手動で入力された情報のような他のデータに基づいている。
【００５４】
補助ノード２１７Ａへセグメントコントローラ２４０Ａにより送信される補助制御データは、遠隔管理システムＢ２５０Ｂからの交通セグメントコントローラデータに少なくとも部分的に基づく。例えば、補助制御データは、交通セグメントコントローラデータだけに時々単に基づいて、交通セグメントコントローラデータに時々部分的に基づいて、交通セグメントコントローラデータに時々全く基づかない。また、セグメントコントローラ２４０Ａ及び／又はセグメントコントローラ２４０Ｂは、遠隔管理システムＢ２５０Ｂと独立して補助制御データの少なくとも幾つかを直接決定するように動作可能である。例えば、セグメントコントローラ２４０Ａは、センサ２１６Ａ―Ｃ、２２６Ａ及び２２６Ｂの一つ以上からのセンサデータを分析し、センサデータの独立分析に少なくとも部分的に基づく補助制御データを決定する。例えば、センサデータは、交通システムＡ２１８Ａに接近している激しい交通を示し、セグメントコントローラ２４０Ａは、交通信号が接近している交通の流れを良好に扱うように信号機を適切に調整する補助制御データを補助ノード２１６Ａへ送信する。
【００５５】
ネットワーク２００は、また、セキュリティシステム２２８Ａ及び緊急応答システム２２８Ｂの少なくとも一つの制御特性を制御している補助ノード２２７Ａを含む。しばらく図４を参照すると、補助ノード２２７Ａ、セキュリティシステム２２８Ａ及び緊急応答システム２２８Ｂが追加的に詳細に示されている。補助ノード２２７Ａは、セグメントコントローラ２４０Ｂへデータを送信し、セグメントコントローラ２４０Ｂからデータを受信するデータトランシーバ２２６２と通信するコントローラ２２６１を含む。コントローラ２２６１は、また、緊急応答システム２２８ＢのＧＳＭ（登録商標）装置２２８１と、セキュリティシステム２２８Ａの第１のカメラ２２８１及び第２のカメラ２２８２と通信する。コントローラ２２６１は、第１のカメラ２２８１及び／又は第２のカメラ２２８２を制御する。例えば、コントローラ２２６１は、第１のカメラ２２８１又は第２のカメラ２２８２を活性化させ、及び／又は第１のカメラ２２８１及び／又は第２のカメラ２２８２の視野方向を変える。コントローラ２２６１は、また、ＧＳＭ（登録商標）装置２２８１を制御する。例えば、コントローラ２２６１は、ＧＳＭ（登録商標）装置２２８１に緊急事態ディスパッチセンタと接触させ、情報を緊急事態ディスパッチセンタへリレーさせる。他の実施例では、非ＧＳＭ（登録商標）通信装置は、公安ネットワークに接続するために利用される。また、幾つかの実施例では、コントローラ２２６１は、更に又は代わりに、一つ以上の遠隔管理システムＡ−Ｃ２５０Ａ―Ｃへメッセージを送信する。一つ以上の遠隔管理システムＡ−Ｃ２５０Ａ―Ｃは、その後、例えば、ワイドエリアネットワークを介して緊急派遣センタと接触する。
【００５６】
再び図２を参照すると、遠隔管理システムＣ２５０Ｃは、遠隔管理監視／緊急事態反応制御システムであり、セグメントコントローラ２４０Ｂへ監視セグメント制御データを送信する。遠隔管理システムＣ２５０Ｃは、また、監視報告及び／又は他の情報を遠隔管理システムＣ２５０Ｃのユーザ／オペレータにオプションで表示する。監視セグメント制御データは、セキュリティシステム２２８Ａの所望の制御パラメータを示し、前に受信されたリモートシステムデータに基づくか、及び／又は、例えば、手動で入力された情報のような他のデータに基づいている。補助ノード２２７Ａへセグメントコントローラ２４０Ｂにより送信される補助制御データは、遠隔管理システムＣ２５０Ｃからの監視セグメントコントローラデータに少なくとも部分的に基づく。例えば、補助制御データは、監視セグメントコントローラデータだけに時々単に基づき、監視セグメントコントローラデータに時々部分的に基づき、監視セグメントコントローラデータに時々全く基づかない。また、セグメントコントローラ２４０Ａ及び／又はセグメントコントローラ２４０Ｂは、遠隔管理システムＣ５０Ｃと独立して補助制御データの少なくとも幾つかを直接決定するように動作可能である。例えば、セグメントコントローラ２４０Ｂは、センサ２１６Ａ―Ｃ、２２６Ａ及び２２６Ｂの一つ以上からのセンサデータを分析し、センサデータの独立分析に少なくとも部分的に基づいて、補助ノード２２７Ａへ送信される補助制御データを決定する。例えば、センサデータは、第１のカメラ２２８１近くの所与の領域内の動きを示し、セグメントコントローラ２４０Ｂは、第１のカメラ２２８１を作動させる補助ノード２２７Ａへ補助制御データを送信する。幾つかの実施例では、補助ノード２２７Ａは、第１のカメラ２２８１による画像捕捉の条件を改善するため、第１のカメラ２２８１付近の領域の光出力を増大するための要求をセグメントコントローラ２４０Ｂへ送信する。例えば、幾つかの実施例では、照明器具Ａ２２４Ａは第１のカメラ２２８１付近にあり、セグメントコントローラ２４０Ｂは、第１のカメラ２２８１からの画像捕捉を改善するために照明器具Ａ２２４Ａの光出力を増大する。増大される光出力の要求は、例えば、補助ノード２２７Ａにより、又はセキュリティシステム２２８Ａにより生成される。
【００５７】
幾つかの実施例では、補助ノード２２７Ａは、完全に又は部分的に補助制御データと独立して、セキュリティシステム２２８Ａ及び／又は緊急事態反応システム２２８Ｂを制御するために動作可能である。例えば、補助ノード２２７Ａは、センサ２１６Ａ―Ｃ及び２２６Ａ―Ｂの一つ以上からセンサデータを受信し、受信したセンサデータに少なくとも部分的に基づいてセキュリティシステム２２８Ａを制御する。センサデータは、センサ２１６Ａ―Ｃ及び２２６Ａ―Ｂの一つ以上から直接受信されるか、及び／又はセグメントコントローラ２４０Ａ及び／又はセグメントコントローラ２４０Ｂを介して受信される。同様に、補助ノード２１７Ａは、完全に又は部分的に補助制御データと独立して、交通システムＡ２１８Ａ及び／又は交通システムＢ２１８Ｂを制御するためにオプションで動作可能である。例えば、補助ノード２１７Ａは、デフォルト制御パラメータ及び／又は受信したセンサデータに基づいて交通システムＡ２１８Ａ及び／又は交通システムＢ２１８Ｂを制御する。従って、補助ノード２１７Ａ及び２２７Ａは、セグメントコントローラ２４０Ａ及び２４０Ｂと独立して動作可能である。ここで説明されている様々な照明ノードは、また、完全に又は部分的に照明器具制御データと独立して、これらの照明器具を制御するためにオプションで動作可能である。
【００５８】
図１のネットワーク１００に関して説明されたように、データは、任意の物理的媒体を介して図２のネットワーク２００の様々な要素間で通信される。また、任意の適切な発信器、受信器又はトランシーバは、ネットワーク２００内の通信を達成するために用いられる。その上、任意の適切なプロトコルが、データ送信のために使われる。
【００５９】
ここで図５乃至図７を参照すると、異種の装置１００又は２００のスケーラブルネットワークの装置の一つ以上により利用される通信システムの態様が示されている。通信システムは、ネットワーク１００又は２００内の種々異なる装置クラスを規定し、異種の装置がネットワークに入り、情報を送信／受信し、更に共有される情報を利用可能にさせる。換言すれば、特定のアプリケーションに関係なく、ネットワーク１００及び２００（セグメントコントローラ、センサ、照明ノード等）の様々な装置は、情報を交換可能であり、交換される情報を「理解」すべきである。通信システムは、異なった機能を持つ、様々な装置のタイプをサポートし、新規な装置のタイプが既存のネットワークコンポーネント及びプロトコルに対して最小の変更で容易に組み込み可能である。通信システムは、ネットワーク１００又は２００内の全ての装置が互いの送信を識別可能にし、様々な装置間の効果的な通信及び有効な情報交換を可能にする。
【００６０】
ここで図５を参照すると、異種の装置１００又は２００のスケーラブルネットワークの装置の一つ以上により利用されるデータフォーマット構造体の第１実施例が示されている。装置クラスＡ、Ｂ及びＣは、ネットワーク１００又は２００内で規定される。クラスＡの装置は、長い距離にわたる低いデータレート通信をサポートする。クラスＢの装置は、短い距離にわたる高いデータレート通信をサポートする。クラスＣの装置は、短い距離にわたる低いデータレート通信をサポートする。セグメントコントローラ１４０Ａ―Ｃ及び２４０Ａ―Ｂは、全ての装置クラスの装置との通信をサポートする。通信システムは、ネットワーク１００又は２００内の全ての装置が互いの装置クラスを識別可能にし、装置間の効果的な通信を可能にする。図５に示されるデータフォーマット構造体は、同期フィールド及びチャネル推定フィールドを含む物理レイヤコンバージェンスプロトコル（ＰＬＣＰ）プリアンブルを含む。ＰＬＣＰプリアンブルは、種々異なる装置クラス間を区別するために用いられる。例えば、複数の直交疑似ノイズ（ＰＮ）シーケンスは、種々異なる装置クラスに対応して規定できる。送信装置は、異なる装置クラスの１つに対応するＰＮシーケンスを持つ信号を送信できる。受信装置は、送信装置から信号を受信し、受信信号を予想されるＰＮシーケンスと相関させ、装置のクラスを決定するため最大ピーク値を持つものを取り上げる。データフォーマット構造体のペイロードフィールド及びＰＬＣＰヘッダは、規定された変調及び符号化スキームを用いてコード化でき、その特定の装置クラスにより必要に応じて適当なデータレート及び電力で送信できる。
【００６１】
ここで図６を参照すると、異種の装置のスケーラブルネットワークの装置の一つ以上により利用される情報データ構造体を識別する様々な態様が示されている。識別情報データ構造体は、装置タイプ識別フィールド及び装置サブタイプ識別フィールドを含む装置タイプ識別子を含む。装置タイプフィールドは、装置（例えば、センサ、照明ノード、照明器具、セグメントコントローラ、ゲートウェイ）の通常のグループを識別する。装置サブタイプフィールドは、装置のサブグループを識別する（例えば、タイプがセンサである場合、その時のサブタイプは、フォトセンサ、占有（在室）センサ、温度センサ、湿度センサ、空気の質センサを含む）。
【００６２】
識別情報データ構造体は、また、装置オペレーションフィールド及びオプションで可変長ＯＰ．ＰＡＲＡＭを含むオペレーションモード識別子を含む。装置オペレーションフィールドは、装置のためのオペレーションモードを規定する。例えば、センサは、スケジュールされたレポートに基づいてセンサデータを報告するか、センサ読み取りで閾値変化が起こるときセンサデータを報告するか、又は、他の装置（例えば、セグメントコントローラ又は補助ノード）により要求されるときセンサデータを報告する。ＯＰ．パラメータフィールドは、一つ以上の関連するオペレーションパラメータを含む。例えば、スケジュールされたレポートは、特定のレポートスケジュールを規定するか、又は例えばセグメントコントローラにより選択されるポテンシャルレポートスケジュールのリストを供給する一つ以上のＯＰ．パラメータを持つ。
【００６３】
識別情報は、また、ＱｏＳモードフィールド、パラメーターナンバーフィールド及びオプションでパラメータ１―ｎに対するフィールドを含むサービスの質（ＱｏＳ）識別子を含む。ＱｏＳモードフィールドは、装置が接続される一つ以上の装置から期待されるサービスの質のレベルを規定する。例えば、装置により期待されるサービスの質は、最善の努力、保証された送出、又は抑制される遅延である。各ＱｏＳモードは、それに関連した多くのパラメータを持つ。任意の斯様なパラメータの特定の数は、パラメータナンバーフィールドに示され、パラメータはパラメータ１―ｎフィールドに含まれる。ＱｏＳフィールドは、特定の装置により生成される（又は予定された）データに対する供給ＱｏＳへのスタックの下位層（例えばネットワーク又はＭＡＣ層）のプロトコルにより使われる。従って、効果的なクロスレイヤ仕様キー通信ニーズが得られる。
【００６４】
図６に示される識別情報は、所与の装置の最初の構成フェーズの間で使われる。ネットワークに加入するために、装置は、ネットワーク連合リクエストメッセージ内に装置の識別情報を含む。更にまた、装置は、複数のオペレーションモード及び／又は複数のＱｏＳモードをサポートし、ネットワーク初期化プロセスの間、その複数のオペレーションモード及び／又は複数のＱｏＳモードを報知することにより全てのその機能を含んでもよい。装置は、更に又は代わりに、通常のオペレーションの間、その複数のオペレーションモード及び／又は複数のＱｏＳモードを報知し、他のノードが、装置を発見し、オプションで装置により生成される情報を利用してもよい。複数のオペレーションモード（又は、複数のＱｏＳ）の場合、特定のオペレーションモード（又は、ＱｏＳ）及び対応するパラメータは、装置と、通信する他の装置（例えば、セグメントコントローラ又は補助ノード）との交渉手順を通じて設定されなければならない。これは、装置がネットワークに加入するとき、オペレーション及び通信モードを設定可能にする。
【００６５】
図７は、異種の装置のスケーラブルネットワークの装置の一つ以上により利用されるデータフォーマット構造体の第２実施例を例示する。任意のデータを送信する前に、装置は、図７に示されるデータフォーマット構造体を使用して、来るべきデータのデータフォーマットを特定する。データフォーマットは、実際のデータ送信の開始前に、ターゲット装置により承認できる。例えば、ネットワークに加入し、使用されるべきオペレーション及び通信モードを設定した後、センサは、図７に示されるデータフォーマット構造体をセグメントコントローラへ送信する。データフォーマット構造体は、来るべきアプリケーションプロトコルパケットのペイロードに坦持されるデータのフォーマットを特定する。特に、データフォーマット構造体は、メッセージタイプ、ユニット、フォーマット、及び来るべきプロトコルパケットのブロックサイズを特定する。セグメントコントローラから肯定応答を受信した後、センサは、同意したフォーマットに従って、すなわち、特定されたサイズのブロック、データフォーマット構造体内のユニット及びフォーマットに従って、データを生成し始める。複数のデータブロックは、単一のアプリケーションメッセージに含まれるが、これは、アプリケーションメッセージ内のブロックナンバーフィールドにより示され、各ブロックは、前に交渉されたフォーマットに従わなければならない。
【００６６】
ここで説明された通信システムの一つ以上の態様を利用することによって、複数の異種の装置が互いと通信できる。その上、通信システムは、異種の装置をネットワークに効率的に加入可能にする。
【００６７】
本明細書において幾つかの発明の実施の形態が説明及び図示されたが、当業者であれば、本明細書において述べられた機能を実行する及び／又は結果及び／又は利点の１つ以上を得るための種々の他の手段及び／又は構成を容易に構想するであろう。また、そのような変形例及び／又は変更例のそれぞれは、本明細書において述べられた発明の実施の形態の範囲内にあると見なされる。より一般的には、当業者であれば、本明細書において述べられた全てのパラメータ、寸法、材料及び構成は例示的であるように意図されており、本発明の教示が使用される具体的な用途に依存することを容易に理解するであろう。当業者は、日常の実験のみを用いて、本明細書において述べられた具体的な発明の実施の形態の多くの均等物を認識する又は確認することができるであろう。従って、上記実施の形態は単に例として与えられており、添付の特許請求の範囲及びその均等物の範囲内では、発明の実施の形態は、具体的に説明され、特許請求の範囲に記載されたやり方以外のやり方で実施され得ることを理解されたい。この開示の発明の実施の形態は、本明細書において述べられた個々の特徴、システム、物品、材料、キット及び／又は方法に向けられている。また、そのような特徴、システム、物品、材料、キット及び／又は方法が互いに矛盾しないのであれば、２つ又はそれ以上のそのような特徴、システム、物品、材料、キット及び／又は方法の任意の組み合わせは、この開示の発明の範囲内に含まれる。
【００６８】
本明細書において定義され、使用される場合、全ての定義は、辞書を超える定義、参照することにより組み込まれる文書内の定義及び／又は定義された用語の通常の意味を支配すると理解されたい。
【００６９】
明細書及び特許請求の範囲において本願で用いられる場合、不定冠詞「a」及び「an」は、反対のことが明確に示されない限り、「少なくとも１つ」を意味すると理解されたい。
【００７０】
明細書及び特許請求の範囲において本願で用いられる場合、一つ以上の要素のリストに関連する「少なくとも１つ」という表現は、要素のリスト内の要素の任意の一つ以上から選択された少なくとも１つの要素を意味すると理解されるべきであり、要素のリスト内に明確に列挙されたありとあらゆる要素の少なくとも１つを必ずしも含むものではなく、要素のリストにおける要素の任意の組み合わせを排除するものではない。この定義は、明確に特定されたこれらの要素に関係があろうとなかろうと、「少なくとも１つ」という表現が指す要素のリスト内において明確に特定された要素以外に要素がオプションで存在することも可能にする。従って、非限定的な例として、「Ａ及びＢの少なくとも１つ」（又は、同等に「Ａ又はＢの少なくとも１つ」、同等に「Ａ及び／又はＢの少なくとも１つ」）は、一実施の形態では、Ｂは存在しない（オプションでＢ以外の要素を含む）状態での少なくとも１つの、オプションで１つよりも多く含むＡを意味し、他の形態では、Ａは存在しない（オプションでＡ以外の要素を含む）状態での少なくとも１つの、オプションで１つよりも多く含むＢを意味し、更に他の実施の形態では、少なくとも１つの、オプションで１つよりも多く含むＡ及び少なくとも１つの、オプションで１つよりも多く含むＢ（オプションで他の要素を含む）を意味する等である。
【００７１】
明らかに反対が示されない限り、複数のステップ又は行為を含むここでクレームされる何れの方法においても、方法のステップ又は行為の順番が、方法のステップ又は行為が引用されている順番に必ずしも限られているわけではないことも理解されるべきである。
【００７２】
あるとしても、クレーム内の参照符号は、単に便宜のために供給され、いかなる態様においても限定するものとして読まれるべきではない。
【００７３】
特許請求の範囲及び上記明細書では、「有する」、「含む（including）」、「担持する」、「持つ」、「含む（containing）」、「伴う」、「保持する」、「によって構成される」等のような全ての移行句は、非制限的である、すなわち、含むが限定されるものではないことを意味すると理解されるべきである。「から成る」及び「から本質的に成る」という移行句のみが、それぞれ、排他的又は半排他的な移行句である。
【図１】
2013524425.tif 000003
【図２】
2013524425.tif 000004
【図３】
2013524425.tif 000005
【図４】
2013524425.tif 000006
【図５】
2013524425.tif 000007
【図６】
2013524425.tif 000008
【図７】
2013524425.tif 000009
【国際調査報告】
2013524425.tif 000010
2013524425.tif 000011
2013524425.tif 000012